(57)【特許請求の範囲】
【請求項１】
電解質水溶液を分解して水素を発生させる装置の反応器カバー(cover)であって、
ベース板(base panel)と、
前記ベース板の一面に結合され、前記水素を発生させる反応を制御するコントロールユニット(control unit)と、
前記コントロールユニットと電気的に接続するように、前記ベース板に埋め込まれ形成される回路パターン(circuit pattern)と、
前記回路パターンと電気的に接続するように前記ベース板の他面に形成される電極パッド(electrode pad)と、
を備える反応器カバー。
【請求項２】
前記ベース板の一面に固定溝が形成され、
前記コントロールユニットが前記固定溝に挿入されることを特徴とする請求項１に記載の反応器カバー。
【請求項３】
前記コントロールユニットの厚みが、前記固定溝の深さ以下であることを特徴とする請求項２に記載の反応器カバー。
【請求項４】
前記ベース板が、セラミック(ceramic)及び高分子(polymer)の中の少なくとも一つを含むことを特徴とする請求項１から請求項３までのいずれか１項に記載の反応器カバー。
【請求項５】
前記ベース板の他面に電極溝が形成され、
前記電極パッドが、前記電極溝に形成されることを特徴とする請求項１から請求項４までのいずれか１項に記載の反応器カバー。
【請求項６】
前記電極パッドの一面には金（Ａｕ）層が形成されることを特徴とする請求項１から請求項５までのいずれか１項に記載の反応器カバー。
【請求項７】
前記電極パッドが、ソケット(socket)であることを特徴とする請求項１から請求項６までのいずれか１項に記載の反応器カバー。
【請求項８】
前記電極パッドが露出するようにベース板の他面に形成され、前記電解質水溶液が 前記ベース板に浸透することを防止する防水コーティング層をさらに備える請求項１から請求項７までのいずれか１項に記載の反応器カバー。
【請求項９】
電解質水溶液を分解して水素を発生させる装置であって、
ベース板と、
前記ベース板の一面に結合され、前記水素を発生させる反応を制御するコントロールユニットと、
前記コントロールユニットと電気的に接続するように、前記ベース板に埋め込まれ形成される回路パターンと、
前記回路パターンと電気的に接続するように、前記ベース板の他面に形成される電極パッドと、
前記電極パッドの一部に結合され、電子を発生させるアノード（陽極）と、
前記電極パッドの他の一部に結合され、前記アノードから前記電子を受けて前記水素を発生させるカソード（陰極）と、
開口部が形成され、前記アノード及び前記カソードを収容するように前記ベース板と結合される反応器と、
を備える水素発生装置。
【請求項１０】
前記ベース板の一面に固定溝が形成され、
前記コントロールユニットが、前記固定溝に挿入されることを特徴とする請求項９に記載の水素発生装置。
【請求項１１】
前記コントロールユニットの厚みが、前記固定溝の深さ以下であることを特徴とする請求項１０に記載の水素発生装置。
【請求項１２】
前記ベース板が、セラミック及び高分子の中の少なくとも一つを含むことを特徴とする請求項９から請求項１１までのいずれか１項に記載の水素発生装置。
【請求項１３】
前記ベース板の他面に電極溝が形成され、
前記電極パッドが、前記電極溝に形成されることを特徴とする請求項９から請求項１２までのいずれか１項に記載の水素発生装置。
【請求項１４】
前記アノード及び前記カソードの一端と、前記電極パッドの一面の中の少なくとも一つには金層が形成されることを特徴とする請求項９から請求項１３までのいずれか１項に記載の水素発生装置。
【請求項１５】
前記電極パッドが、前記ベース板に前記アノード及び前記カソードを固定させるソケットであることを特徴とする請求項９から請求項１４までのいずれか１項に記載の水素発生装置。
【請求項１６】
前記電極パッドが露出するようにベース板の他面に形成され、前記電解質水溶液が前記ベース板に浸透することを防止する、防水コーティング層をさらに備える請求項９から請求項１５までのいずれか１項に記載の水素発生装置。
【請求項１７】
電解質水溶液の分解により発生された水素を用いて電気エネルギーを生産するシステムであって、
ベース板と、
前記ベース板の一面に結合され、前記水素を発生させる反応を制御するコントロールユニットと、
前記コントロールユニットと電気的に接続するように前記ベース板に埋め込まれ形成される回路パターンと、
前記回路パターンと電気的に接続するように、前記ベース板の他面に形成される電極パッドと、
前記電極パッドの一部に結合され、電子を発生させるアノードと、
前記電極パッドの他の一部に結合され、前記アノードから前記電子を受けて前記水素を発生させるカソードと、
開口部が形成され、前記アノード及び前記カソードを収容するように前記ベース板と結合される反応器と、
前記カソードから生成された前記水素の化学エネルギーを変換して前記電気エネルギーを生産する燃料電池と、
を備える燃料電池発電システム。
【請求項１８】
前記ベース板の一面に固定溝が形成され、
前記コントロールユニットが、前記固定溝に挿入されることを特徴とする請求項１７に記載の燃料電池発電システム。
【請求項１９】
前記コントロールユニットの厚みが、前記固定溝の深さ以下であることを特徴とする請求項１８に記載の燃料電池発電システム。
【請求項２０】
前記ベース板が、セラミック及び高分子の中の少なくとも一つを含むことを特徴とする請求項１７から請求項１９までのいずれか１項に記載の燃料電池発電システム。
【請求項２１】
前記ベース板の他面には電極溝が形成され、
前記電極パッドが、前記電極溝に形成されることを特徴とする請求項１７から請求項２０までのいずれか１項に記載の燃料電池発電システム。
【請求項２２】
前記アノード及び前記カソードの一端と、前記電極パッドの一面の中の少なくとも一つには金層が形成されることを特徴とする請求項１７から請求項２１までのいずれか１項に記載の燃料電池発電システム。
【請求項２３】
前記電極パッドが、前記ベース板に前記アノード及び前記カソードを固定させるソケットであることを特徴とする請求項１７から請求項２２までのいずれか１項に記載の燃料電池発電システム。
【請求項２４】
前記電極パッドが露出するようにベース板の他面に形成され、前記ベース板に前記電解質水溶液が浸透することを防止する防水コーティング層をさらに備える請求項１７から請求項２３までのいずれか１項に記載の燃料電池発電システム。
【発明の詳細な説明】
【技術分野】
【０００１】
本発明は反応器カバーと、これを備えた水素発生装置及び燃料電池発電システムに関する。
【背景技術】
【０００２】
燃料電池とは燃料、すなわち、水素、ＬＮＧ、ＬＰＧ、メタノールなどの燃料と空気の化学エネルギーを電気化学的反応により電気及び熱に直接変換させる装置である。既存の発電技術が燃料の燃焼、蒸気発生、タービン駆動、駆動過程を経ることとは異なり、燃焼過程や駆動装置がないため、効率が高く、さらに環境問題を生じさせない新たな概念の発電技術である。
【０００３】
燃料電池中、小型携帯用電子機器への適用のために研究中である燃料電池としては、 水素を燃料として用いる高分子電解質燃料電池(Polymer Electrolyte Membrane Fuel Cell、以下、'ＰＥＭＦＣ'という)、及び、メタノール燃料電池(Direct Methanol Fuel Cell、以下、'ＤＭＦＣ'という)のように液体燃料を直接燃料として用いる直接液体燃料電池がある。水素を燃料として用いるＰＥＭＦＣは、出力密度は高いが、水素を供給する別途の装置を要するため、水素を供給するために水素貯蔵タンクなどを用いることになると嵩が大きくなり、保管にも危険性がある。
【０００４】
従来の高分子型電解質燃料電池の水素発生に用いられる方法は、アルミニウムの酸化反応、金属ボロハイドライド系の加水分解、及び、金属電極体反応に分けることができ、その中、水素発生を効率的に調節可能な方法として金属電極体を用いる方法がある。これは主として、マグネシウムの電極がＭｇ２＋イオンにイオン化され得られた電子を、再び導線を用いて他の金属体に連結して水の分解反応により水素を発生させる方法であって、連結された導線の短落、使用される電極体間の間隔及び大きさに応じて水素の発生を調節することができる。
【発明の開示】
【発明が解決しようとする課題】
【０００５】
しかし、従来技術による水素発生方法の場合、水素生成流量を調節するコントロールユニットと反応器とが分離され構成されており、これらを電線で連結して構成するので、反応器とコントロールユニットとを別途に構成することになり、電線を通過させるために反応器に形成される貫通孔から水素が漏れ出る問題があった。従って、コントロールユニットが一体化された反応器カバーとこれを備える水素発生装置及び燃料電池発電システムが求められている。
【０００６】
こうした従来技術の問題点を解決するために、本発明は、ベース板とコントロールユニットとを一体化することにより、不要な電線を除去して、より容易に反応器カバーの製作及び使用が可能になり、これを備えた水素発生装置及び燃料電池発電システムを提供することを目的とする。
【課題を解決するための手段】
【０００７】
本発明の一実施形態によれば、電解質水溶液を分解して水素を発生させる装置の反応器カバーであって、ベース板と、ベース板の一面に結合され、水素を発生させる反応を制御するコントロールユニットと、コントロールユニットと電気的に接続するように、ベース板に埋め込まれ形成される回路パターンと、回路パターンと電気的に接続するように、ベース板の他面に形成される電極パッドと、を備える反応器カバーが提供される。
【０００８】
ベース板の一面には固定溝が形成され、コントロールユニットは固定溝に挿入されることができる。
【０００９】
コントロールユニットの厚みは固定溝の深さ以下であってもよい。
【００１０】
ベース板はセラミック及び高分子の中の少なくとも一つを含むことができる。
【００１１】
ベース板の他面には電極溝が形成され、電極パッドは電極溝に形成されることができる。
【００１２】
電極パッドの一面には金（Ａｕ）層が形成されてもよい。
【００１３】
電極パッドはベース板に所定の伝導体を固定させるソケットであってもよい。
【００１４】
電極パッドが露出するようにベース板の他面に形成され、電解水溶液がベース板に 浸透することを防止する防水コーティング層をさらに備えることができる。
【００１５】
また、本発明の他の実施形態によれば、電解質水溶液を分解して水素を発生させる装置であって、ベース板と、ベース板の一面に結合され、水素が発生される反応を制御するコントロールユニットと、コントロールユニットと電気的に接続するように、ベース板に埋め込まれ形成される回路パターンと、回路パターンと電気的に接続するようにベース板の他面に形成される電極パッドと、電極パッドの一部に結合され、電子を発生させるアノードと、電極パッドの他の一部に結合され、アノードから電子を受けて水素を発生させるカソードと、開口部が形成され、アノード及びカソードを収容するようにベース板と結合される反応器と、を備える水素発生装置が提供される。
【００１６】
ベース板の一面には固定溝が形成され、コントロールユニットは固定溝に挿入されることができる。
【００１７】
コントロールユニットの厚みは固定溝の深さ以下であることができる。
【００１８】
ベース板はセラミック及び高分子の中の少なくとも一つを含むことができる。
【００１９】
ベース板の他面には電極溝が形成され、電極パッドは電極溝に形成されることができる。
【００２０】
アノード及びカソードの一端と、電極パッドの一面の中の少なくとも一つには金層が形成されてもよい。
【００２１】
電極パッドはベース板にアノード及びカソードを固定させるソケットであってもよい。
【００２２】
電極パッドが露出するようにベース板の他面に形成され、ベース板に電解質水溶液が浸透することを防止する防水コーティング層をさらに備えることができる。
【００２３】
また、本発明のさらに他の実施形態によれば、電解質水溶液の分解により発生された水素を用いて電気エネルギーを生産するシステムであって、ベース板と、ベース板の一面に結合され、水素を発生させる反応を制御するコントロールユニットと、コントロールユニットと電気的に接続するように、ベース板に埋め込まれ形成される回路パターンと、回路パターンと電気的に接続するようにベース板の他面に形成される電極パッドと、電極パッドの一部に結合され、電子を発生させるアノードと、電極パッドの他の一部に結合され、アノードからの電子を受けて水素を発生させるカソードと、開口部が形成され、アノード及びカソードを収容するように、ベース板と結合される反応器と、カソードから生成された水素の化学エネルギーを変換して電気エネルギーを生産する燃料電池と、を備える燃料電池発電システムが提供される。
【００２４】
ベース板の一面には固定溝が形成され、コントロールユニットは固定溝に挿入されることができる。
【００２５】
コントロールユニットの厚みは固定溝の深み以下であることができる。
【００２６】
ベース板はセラミック及び高分子の中の少なくとも一つを含むことができる。
【００２７】
ベース板の他面には電極溝が形成され、電極パッドは電極溝に形成されることができる。
【００２８】
アノード及びカソードの一端と、電極パッドの一面との中の少なくとも一つには金層が形成されてもよい。
【００２９】
電極パッドは、ベース板にアノード及びカソードを固定させるソケットであってもよい。
【００３０】
電極パッドが露出するようにベース板の他面に形成され、ベース板に電解質水溶液が浸透することを防止する防水コーティング層をさらに備えることができる。
【発明の効果】
【００３１】
本発明の実施例によれば、ベース板とコントロールユニットとを一体化することにより、不要な電線を除去して、ショット(short)を防止できるようになり、結果的に、反応器カバーをより容易に製作し使用することができる。
【発明を実施するための最良の形態】
【００３２】
以下、本発明による反応器カバーと、これを備えた水素発生装置及び燃料電池発電システムの実施例を添付図面を参照して詳しく説明するが、添付図面を参照して説明することにおいて、同一かつ対応する構成要素は同じ図面番号を付し、これに対する重複される説明は省略する。
【００３３】
図１は本発明の一実施形態による反応器カバーの一実施例を示す断面図である。図１を参照すると、反応器カバー１００、ベース板１１０、固定溝１１２、電極溝１１４、コントロールユニット１２０、回路パターン１３０、電極パッド１４０、防水コーティング層１５０が示されている。
【００３４】
本実施例によれば、コントロールユニット１２０をベース板１１０と一体化させ、より簡単に具現できる反応器カバー１００が提示される。
【００３５】
ベース板１１０の一面には固定溝１１２が形成され、他面には電極溝１１４が形成されることができ、固定溝１１２にはコントロールユニット１２０が挿入結合され、電極溝１１４には電極パッド１４０が形成されることができる。
【００３６】
また、ベース板１１０はセラミック及び高分子の中の少なくとも一つを含むことができる。すなわち、セラミックまたは高分子を含むことができ、これらを共に含むこともできる。
【００３７】
ベース板１１０は、印刷回路基板(printed circuit board、以下、'ＰＣＢ'という)または低温焼成セラミック(low temperature co-fired ceramic、以下、'ＬＴＣＣ'という)の一部の絶縁基板であることができる。高分子またはセラミックからなる絶縁基板は、内部及び外部に伝導性パターンを形成し、機械的な加工をすることにより、反応器カバー１００、すなわち、ＰＣＢまたはＬＴＣＣになるので、より容易な方法でコントロールユニット１２０が一体化された反応器カバー１００を具現することができる。
【００３８】
コントロールユニット１２０は、ベース板１１０の一面に結合されており、水素を発生させる反応を制御することができる。すなわち、前述したように、ベース板１１０には固定溝１１２が形成され、固定溝１１２にコントロールユニット１２０を挿入してベース板１１０と一体化することができる。
【００３９】
コントロールユニット１２０は、電極パッド１４０を通して水素発生装置のアノード及びカソードと電気的に接続され、アノードとカソードとの間の通電を制御することができる。すなわち、コントロールユニット１２０は燃料電池に要求される水素量の伝達を受けて、その要求値が大きいとアノードからカソードへ流れる電子の量を増加させ、その要求値が小さいとアノードからカソードへ流れる電子の量を減少させることができる。
【００４０】
例えば、コントロールユニット１２０は可変抵抗で構成され可変抵抗値を変化させることによりアノードとカソードとの間に流れる電流量を調節したり、オン/オフスイッチで構成され、オン/オフタイミングを調節することによりアノードとカソードとの間に流れる電流量を調節することができる。
【００４１】
また、コントロールユニット１２０の厚みｄ２は、固定溝１１２の深みｄ１以下であってもよく、こうすると、ベース板１１０の一面から突出しないので、ベース板１１０の一面を水素発生装置の底面として用いることにより、より容易に他のシステムに結合して使用することができる。
【００４２】
固定溝１１２はベース板１１０の一面に、例えば、レーザドリル(laser  drill)、ラウティング(routing)などの加工から形成することができ、この固定溝１１２にコントロールユニット１２０を装着することができる。
【００４３】
回路パターン１３０は、コントロールユニット１２０と電気的に接続するようにベース板１１０に埋め込まれ形成されることができる。すなわち、コントロールユニット１２０と水素発生装置のアノード及びカソードを電気的に接続できるようになる。
【００４４】
電極パッド１４０は、回路パターン１３０と電気的に接続するように、ベース板１１０の他面に形成されることができる。ベース板１１０の他面には電極溝１１４が形成され、電極溝１１４に電極パッド１４０を形成できるので、電極パッド１４０により、水素発生装置のアノード及びカソードが反応器カバー１００に、より効果的に固定されることができる。
【００４５】
電極溝１１４は、前述した固定溝１１２を形成する方法と同様に、ベース板１１０の他面に、例えば、レーザドリル、ラウティングなどの加工で形成することができる。
【００４６】
また、電極パッド１４０は、所定の伝導体、すなわち、水素発生装置のアノード及びカソードを挟み込み、ベース板１１０にこれらを固定させるソケットであってもよく、これにより、アノード及びカソードを反応器カバー１００に固定させるとともにソケット自体の流動性から接触抵抗なしで、より柔軟にアノード及びカソードと反応器カバー１００とを結合できるようになる。
【００４７】
また、電極パッド１４０の一面には金（Ａｕ）層を形成することができ、所定の伝導体、すなわち、水素発生装置のアノード及びカソードとこの金層とを、より容易にソルダリング(soldering) し結合することにより、所定の伝導体、すなわち、水素発生装置のアノード及びカソードを電極パッド１４０に固定させることもできる。
【００４８】
回路パターン１３０及び電極パッド１４０は多層ＰＣＢまたはＬＴＣＣの製造方式を用いて形成することができる。多層ＰＣＢ製造方式を用いる一例としては、先ず、絶縁基板、例えば、セラミックまたは高分子基板に、回路パターン１３０となる伝導性物質を形成し、これをフォトリソグラフィ(photo-lithography)方式で露光及び現像し選択的にエッチングすることで所定のパターンを形成する。
【００４９】
次に、所定のパターンが形成された絶縁基板の一面に他の絶縁基板を積層してベース板１１０を形成した後、両面に固定溝１１２及び電極溝１１４を形成する。固定溝１１２及び電極溝１１４を形成する方法は前述と同様である。
【００５０】
次に、電極溝１１４と固定溝１１２との一面に、例えば、レーザドリルなどを用いて、ビアホール(via hole)をそれぞれ形成し、メッキなどの方式でビアホール及びベース板１１０の両面にメッキ層をそれぞれ形成する。
【００５１】
最後に、ベース板１１０の両面を選択的にエッチングして、水素発生装置のアノード及びカソードとの電気的接続のための電極パッド１４０、及びコントロールユニット１２０との電気的接続のための伝導性パターンを形成することができる。
【００５２】
防水コーティング層１５０は、電極パッド１４０が露出するようにベース板１１０の他面に形成され、電解水溶液がベース板１１０に浸透することを防止できる。ベース板１１０の他面は水素発生装置の反応器に入っている電解質水溶液に露出されうるので、より安定的な電気的接続のために防水コーティング層１５０を形成する。
【００５３】
本実施例によれば、コントロールユニット１２０をベース板１１０と一体化させ、回路パターン１３０をベース板１１０の内部に形成させることにより、不要な電線を除去し、電極パッド１４０をソケット構造で形成してアノード及びカソードをより容易に固定させることができる。また、ベース板１１０の他面に防水コーティング層１５０を形成することができるので、電気的接続状態を保護することもできる。
【００５４】
次に、本発明の他の実施形態による水素発生装置の一実施例に対して説明する。
【００５５】
図２は本発明の他の実施形態による水素発生装置の一実施例を示す断面図である。図２を参照すると、水素発生装置２００、ベース板２１０、固定溝２１２、電極溝２１４、コントロールユニット２２０、回路パターン２３０、電極パッド２４０、防水コーティング層２５０、アノード２６０、カソード２６５、電解質水溶液２７５、反応器２７０が示されている。
【００５６】
本実施例によれば、コントロールユニット２２０をベース板２１０と一体化して、より簡単に水素発生装置２００を具現することができる。
【００５７】
本実施例の場合、ベース板２１０、固定溝２１２、電極溝２１４、コントロールユニット２２０、回路パターン２３０、電極パッド２４０、防水コーティング層２５０の構成及び結合関係は本発明の一実施形態による反応器２７０カバーの一実施例と同一かつ対応するのでこれに対する説明は省略し、以下では、反応器２７０カバーの一実施例との相違点である、アノード２６０、カソード２６５、反応器２７０に対して説明する。
【００５８】
反応器２７０には、開口部が形成され、分解反応により水素を放出する電解質水溶液２７５を入れることができる。反応器２７０の一側には開口部が形成され、アノード２６０及びカソード２６５を収容するように、ベース板２１０と結合されることができる。
【００５９】
反応器２７０は反応器カバーと物理的または化学的に結合することができ、例えば、反応器２７０と反応器カバーとの間にシーリングのためのゴムリングを介在しボルトで締結するか、エポキシ(epoxy)などの樹枝を介在して結合する方式を用いることができる。
【００６０】
また、反応器２７０の内部にはアノード２６０及びカソード２６５が収容され、反応器内に入っている電解質水溶液２７５により水素発生反応が起きることができる。ここで、電解質水溶液２７５として、ＬｉＣｌ、ＫＣｌ、ＮａＣｌ、ＫＮＯ３、ＮａＮＯ３、ＣａＣｌ２、ＭｇＣｌ２、Ｋ２ＳＯ４、Ｎａ２ＳＯ４、ＭｇＳＯ４、ＡｇＣｌなどを用いることができ、電解質水溶液２７５は水素イオンを含むことができる。
【００６１】
アノード２６０は、活性電極であり、電極パッド２４０の一部に結合され、電子を発生することができる。アノード２６０は、例えば、マグネシウム（Ｍｇ）からなることができ、このアノード２６０と水素とのイオン化傾向の差によりアノード２６０が水中に電子を出してマグネシウムイオン(Ｍｇ２＋)に酸化する。
【００６２】
この際、生成される電子は電極パッド２４０を通してアノード２６０と電気的に接続されているコントロールユニット２２０に移動し、コントロールユニット２２０と電極パッド２４０を通して電気的に接続されているカソード２６５に移動することができる。従って、アノード２６０は電子の生成により消耗されて、一定時間が経過すると交換することにする。また、アノード２６０は後述するカソード２６５に比して相対的にイオン化傾向が大きい金属からなることができる。
【００６３】
カソード２６５は、非活性電極であり、アノード２６０とは異なって消耗されないため、アノード２６０の厚みより薄く具現することができる。カソード２６５は、電極パッド２４０中、アノード２６０が結合されていない電極パッド２４０に結合され、アノード２６０から発生された電子を受けて水素を発生させることができる。カソード２６５は、例えば、ステンレススチール(Stainless Steel)からなることができ、電子と反応して水素を発生させることができる。すなわち、カソード２６５での化学反応は、陰極では、水がアノード２６０から移動してきた電子を受けて水素に分解される。
【００６４】
前述した化学反応式は下記の化学式１で表される。
（化１）
アノード２６０：Ｍｇ→Ｍｇ２＋＋２ｅ−
カソード２６５：２Ｈ２Ｏ＋２ｅ−→Ｈ２＋２（ＯＨ）−
全体反応：Ｍｇ＋２Ｈ２Ｏ→Ｍｇ（ＯＨ）２＋Ｈ２
【００６５】
また、アノード２６０及びカソード２６５の一端、電極パッド２４０の一面、または、アノード２６０及びカソード２６５の一端と電極パッド２４０の一面すべてには金層が形成されることができ、水素発生装置２００のアノード２６０及びカソード２６５の一端と電極パッド２４０の一面にそれぞれ形成された金層を、より容易にソルダリングし結合することにより、水素発生装置２００のアノード２６０及びカソード２６５を電極パッド２４０に固定させることができる。
【００６６】
この場合、アノード２６０及びカソード２６５の一端には、例えば、スパッタリング(sputtering)により、金（Ａｕ）層を形成することができる。
【００６７】
本実施例によれば、コントロールユニット２２０をベース板２１０と一体化し、回路パターン２３０をベース板２１０の内部に形成することにより、不要な電線を除去することができ、電極パッド２４０をソケット構造にすることにより、アノード２６０及びカソード２６５をより容易に固定させることができ、アノード２６０及びカソード２６５に金層を形成することにより、ソルダリングをより容易にすることができる。
【００６８】
次に、本発明のさらに他の実施形態による燃料電池発電システムの一実施例に対して説明する。
【００６９】
図３は本発明のさらに他の実施形態による燃料電池発電システムの一実施例を示す概略図である。図３を参照すると、燃料電池発電システム３００、水素発生装置３９０、燃料電池３９５が示されている。
【００７０】
本実施例によれば、コントロールユニットをベース板と一体化することにより、燃料電池発電システム３００をより簡単に具現することができる。
【００７１】
本実施例の場合、水素発生装置３９０に対する構成は本発明の他の実施形態による水素発生装置２００の一実施例と同一かつ対応するのでこれに対する説明は省略し、以下では、水素発生装置２００の一実施例との相違点である燃料電池３９５に対して説明する。
【００７２】
燃料電池３９５は、カソードから生成された水素の化学エネルギーを変換して電気エネルギーを生産することができる。すなわち、水素発生装置３９０から発生された水素は燃料電池の燃料極に移動することができ、これにより、前述した水素発生装置３９０から生成された水素の化学エネルギーを電気エネルギーに変換して直流電流を生産することができる。
【００７３】
本実施例によれば、コントロールユニットが一体化された反応器カバーを用いてシステムを構成することにより、より簡単かつ容易に燃料電池発電システム３００を具現することができる。
【００７４】
前述した実施例以外の多くの実施例が本発明の特許請求の範囲内に存在する。
【図面の簡単な説明】
【００７５】
【図１】本発明の一実施形態による反応器カバーの一実施例を示す断面図である。
【図２】本発明の他の実施形態による水素発生装置の一実施例を示す断面図である。
【図３】本発明のさらに他の実施形態による燃料電池発電システムの一実施例を示す概略図である。
【符号の説明】
【００７６】
１００  反応器カバー
１１０  ベース板
１１２  固定溝
１１４  電極溝
１２０  コントロールユニット
１３０  回路パターン
１４０  電極パッド
１５０  防水コーティング層
【図１】
0004759751.tif 000002
【図２】
0004759751.tif 000003
【図３】
0004759751.tif 000004